(57)【要約】【課題】胴部４内底部に周縁部を摺動上昇可能に嵌合させた可動底壁７を有する容器体２に、その口頸部６内に下端のシリンダ１５を垂設してポンプを装着した液体吐出容器であって、簡単な構造変更を加えることにより、収納液と空気との接触を防止でき、口頸部内に於ける吐出の出来ない無駄な液の存在を無くすことができる液体吐出容器を提案する。【解決手段】シリンダ１５外周より口頸部６内周面と小間隙をあけてフランジ２６を突設し、このフランジ外周縁部を口頸部６内周下端部に突設した環状のシール突部２７に液密に係合させた。【選択図】図１
2004001817.tif 000002
【特許請求の範囲】
【請求項１】
胴部４より肩部５を介して口頸部６を起立するとともに、上記胴部内周底部に周縁部を摺動上昇可能に嵌合させた可動底壁７を有する容器体２と、上記口頸部６内に下端のシリンダ１５を垂設して容器体２に装着したポンプ３とを備え、ポンプの作動による容器体内の液の減少に伴い可動底壁７が上昇する如く構成した液体吐出容器に於いて、上記シリンダ１５外周より口頸部６内周面と小間隙をあけてフランジ２６を突設するとともに、フランジ２６外周縁部を口頸部６内周下端部に突設した環状のシール突部２７と液密に係合させてなることを特徴とする液体吐出容器。
【請求項２】
胴部４より肩部５を介して口頸部６を起立するとともに、上記胴部内周底部に周縁部を摺動上昇可能に嵌合させた可動底壁７を有する容器体２と、上記口頸部６外周に装着筒１６を嵌合させて容器体に装着させるとともに、装着筒１６上端より延設したフランジ状の頂板１７内周縁部に上端部を嵌着したシリンダ１５を口頸部６内に垂下し、且つ、シリンダ１５上端より上方付勢状態で押下げ可能に突出したステム１８の上端に吐出ヘッド１９を有するポンプ３とを備え、吐出ヘッド１９を上下動させることにより容器体内の液を吸い上げて吐出するとともに、液の減少に伴い可動底壁７が上昇する如く構成した液体吐出容器に於いて、上記シリンダ１５外周より口頸部６内周面と小間隙をあけてフランジ２６を突設するとともに、フランジ２６外周縁部を口頸部６内周下端部に突設した環状突条形態のシール突部２７上面に液密に圧接させてなることを特徴とする液体吐出容器。
【請求項３】
上記フランジ２６が、シリンダ１５外面に嵌合させた取付筒２８外面より突設してシリンダ１５と別体に形成されてなる請求項１又は請求項２のいずれかに記載の液体吐出容器。
【発明の詳細な説明】
【０００１】
【発明の属する技術分野】
本発明は液体吐出容器に関する。
【０００２】
【従来の技術】
液体吐出容器として、容器体にポンプを装着した種々の形態のものが知られている。例えば、内周面が上下同径をなす筒状の胴部上端縁より肩部を介して口頸部を起立するとともに、胴部内周底部に周縁部を摺動上昇可能に嵌合させて胴部下端開口を閉塞する可動底壁を有する容器体と、口頸部内に下端のシリンダを垂設して着脱可能に容器体に装着するとともに、シリンダ上端より上方付勢状態で上下動可能に突出したステムの上端に噴出ヘッドを有するポンプを着脱可能に装着したものがある。これらはポンプにより容器体内の液を吸い上げて吐出した際に可動底壁が上昇する如く構成したもので、収納液が空気との接触を好まないものの場合には特に有効に使用できるものである。
【０００３】
【発明が解決しようとする課題】
従来のこの種の液体吐出容器では、既存のポンプを利用して可動底壁付きの容器体に装着することにより形成できるため、製造が容易で好ましく利用されているが、容器体の口頸部とポンプのシリンダとの間に比較的大きな隙間が存在し、液の充填を行うとその部分に空気が残存する。即ち、容器体上方から胴部内に液を注入した後ポンプを装着すれば、口頸部内部分には空気が残る。
【０００４】
従って、量は少ないといっても空気が液と接触するという不都合がある。また、容器使用当初ポンプ内に残存する空気を除くために噴出ヘッドの上下動を数回繰り返す所謂ポンピング操作を行うが、その後にも口頸部からの空気を引き入れて空気の混在した液を噴出するという不都合を生じる場合がある。その対策として口頸部内のシリンダとの間に液が充満する程度に予め液を注入しておけば空気の残存は防止できるが、可動底壁が最上昇位置まで移行してもその部分の液の吐出は困難であり、最後まで吐出されない液が残って無駄となる不都合もある。
【０００５】
本発明は上記した点に鑑みてなされたもので、この種の容器に於いて簡単な構造的変更を加えることにより収納液と空気との接触を防止でき、また、ポンピング操作後の噴出液への空気の混在を防止し、しかも口頸部内に於ける吐出の出来ない無駄な液の存在をなくすことができる優れた液体吐出容器を提案するものである。
【０００６】
【課題を解決するための手段】
本請求項１発明の液体吐出容器は上記課題を解決するため、胴部４より肩部５を介して口頸部６を起立するとともに、上記胴部内周底部に周縁部を摺動上昇可能に嵌合させた可動底壁７を有する容器体２と、上記口頸部６内に下端のシリンダ１５を垂設して容器体２に装着したポンプ３とを備え、ポンプの作動による容器体内の液の減少に伴い可動底壁７が上昇する如く構成した液体吐出容器に於いて、上記シリンダ１５外周より口頸部６内周面と小間隙をあけてフランジ２６を突設するとともに、フランジ２６外周縁部を口頸部６内周下端部に突設した環状のシール突部２７と液密に係合させてなることを特徴とする液体吐出容器として構成した。
【０００７】
また、請求項２発明の液体吐出容器は、胴部４より肩部５を介して口頸部６を起立するとともに、上記胴部内周底部に周縁部を摺動上昇可能に嵌合させた可動底壁７を有する容器体２と、上記口頸部６外周に装着筒１６を嵌合させて容器体に装着させるとともに、装着筒１６上端より延設したフランジ状の頂板１７内周縁部に上端部を嵌着したシリンダ１５を口頸部６内に垂下し、且つ、シリンダ１５上端より上方付勢状態で押下げ可能に突出したステム１８の上端に吐出ヘッド１９を有するポンプ３とを備え、吐出ヘッド１９を上下動させることにより容器体内の液を吸い上げて吐出するとともに、液の減少に伴い可動底壁７が上昇する如く構成した液体吐出容器に於いて、上記シリンダ１５外周より口頸部６内周面と小間隙をあけてフランジ２６を突設するとともに、フランジ２６外周縁部を口頸部６内周下端部に突設した環状突条形態のシール突部２７上面に液密に圧接させてなることを特徴とする液体吐出容器として構成した。
【０００８】
また、請求項３発明の液体吐出容器は、上記フランジ２６が、シリンダ１５外面に嵌合させた取付筒２８外面より突設してシリンダ１５と別体に形成されてなる請求項１又は請求項２のいずれかに記載の液体吐出容器として構成した。
【０００９】
【発明の実施の形態】
以下、本発明の実施の形態を図面を参照して説明する。
【００１０】
本発明の液体吐出容器１は、容器体２と、ポンプ３とを備えている。
【００１１】
容器体２は合成樹脂等により形成されたもので、内周面が上から下まで同径の筒状胴部４上端縁より肩部５を介して口頸部６を起立しており、胴部４内周底部に周縁部を摺動上昇可能に嵌合させた可動底壁７を備えている。この可動底壁７は、底板８中央部を下方へ凹ませて上昇した際に後述するシリンダの逃げ部を形成しており、周縁部には上下縁を上向き及び下向きのスカート状にした筒状の摺動部９を設けている。更に、底板８下面中央より短筒１０を垂設している。また、容器体２の胴部４下端部には底キャップ１１を嵌着している。この底キャップ１１は胴部４外周下端部に嵌合させた嵌合筒部１２下端縁より胴部下端開口を閉塞する底壁１３を延設し、底壁１３上面中央部には可動底壁７を所定位置に支持する支持筒部１４を立設している。尚、この支持筒部には装着の際のエア抜き用の切溝を縦設している。
【００１２】
ポンプ３も合成樹脂等により形成されたもので、上記口頸部６内に下端のシリンダ１５を垂設して容器体２に装着し、該ポンプを作動させることにより容器体内の液を吸い上げて吐出することのできる公知機構のものが採用できる。更に具体的に一例を挙げれば、口頸部６外周に装着筒１６を嵌合させて容器体２に装着させるとともに、装着筒１６上端より延設したフランジ状の頂板１７内周縁部に上端部を嵌着したシリンダ１５を口頸部６内に垂下し、且つ、シリンダ１５上端より上方付勢状態で押下げ可能に突出したステム１８の上端に吐出ヘッド１９を有するものが使用できる。
【００１３】
装着筒１６の嵌合係止は、図示例の如く螺着により係止させてもよいが、後述するフランジのシール突部への圧接をより良好に維持できることから、口頸部６外周に突設した係止突条下面に、装着筒１６内周に突設した係合突条を乗越え係合する如く構成しても良い。
【００１４】
図示例では、上記頂板１７内周縁より立設した嵌合筒２０内面にシリンダ１５上端を嵌着させている。この嵌合筒２０の上端縁より内方へ延びた後下方へ下る鉤型の係止部（図示せず）を突設し、嵌合筒２０との間にシリンダ１５上端を挟持固定している。また、頂板１７上面の嵌合筒２０外方に案内筒２１を立設し、下面より垂設したシール筒２２を口頸部６内周に嵌着してこの部分での液密性を図っている。尚、この部分の液密性を図る目的で図２に示す如く、頂板１７と口頸部６との間にパッキン２３を介在させても良い。
【００１５】
上記ステム１８はシリンダ内の液を上方へ注出するためのもので、シリンダ１５内周に摺動可能に嵌合させたピストン（図示せず）を下部に連係させている。また、その上方付勢方法は公知の形態を採用でき、例えば、シリンダ内へコイルスプリング（図示せず）を介在させたり、或いはヘッドと装着筒部材との間にコイルスプリングを介在させたりすることにより行うことができる。
【００１６】
上記吐出ヘッド１９は、ステム１８からの液を吐出させ、また、ポンプ作動のために上面を押圧して押し下げるもので、図示例ではステム１８上端に嵌着させた縦筒２４とノズル２５とを連通させ、ノズル２５先端の吐出口ａより液を吐出する如く構成している。また、周囲にカバー筒３２を垂設している。
【００１７】
また、シリンダ１５内部に設けた吸込弁（図示せず）やステム１８内に設けた吐出弁（図示せず）及び上記ピストン等の公知の内部機構を備えて吐出ヘッド１９を上下動させることによりシリンダ１５内の液を吐出口ａより吐出するとともに、容器体２内の液をシリンダ１５内に吸い込む公知のポンプ機構を備えたものが使用できる。
【００１８】
本発明では、上記した如き液体吐出容器において、上記口頸部６内周面と小間隙ｄをあけてフランジ２６を突設するとともに、該フランジ２６外周縁部を口頸部６内周下端部に突設した環状のシール突部２７と液密に係合させてる如く構成している。
【００１９】
上記したフランジ２６は図１の如くシリンダ１５より一体に突設しても良く、或いは、図２に示す如く、別体に形成しても良い。図２の場合には、シリンダ外周下部に嵌合させた取付筒２８の外周より上記フランジ２６を突設したフランジ部材２９を嵌合させており、シリンダ１５外周に設けた下向き段部３０により所定位置への嵌合を行える如く構成している。また、シール突部２７は、フランジ２６外周縁と係合してフランジの上下を液密に閉塞するもので、図示例では口頸部６内周下端部より突設した環状突条形態のシール突部２７を設けており、その上面にフランジ２６外縁部下面が液密に圧接する如く構成している。
【００２０】
この様な構成を備えることにより、収納液の空気との接触を極力防止し、また、吐出されない無駄な液の量を極力減少させる如く構成している。即ち、液充填の際は、例えば、容器体２の口頸部６上方から所定レベルまで液を注入し、次いでポンプ３を装着して行うことが出来るが、この際、口頸部６内のエアーはフランジ２６外周縁の隙間より上方へ逃げ、また、フランジ２６がシール突部２７と圧接した装着終点時には過剰な液はシリンダ１５内に圧入される。尚、本発明液体吐出容器は比較的粘度の高い液を収納使用するのが好ましいが、当然粘度が低いものでも利用できる。
【００２１】
上記各実施例において、フランジ２６外周の小間隙ｄは、ポンプ３装着時に口頸部６内の空気を上方へ逃がすために設けるもので、例えば０．５ミリ〜２ミリ程度のわずかな隙間で良く、但し数値はこれに限られない。また、３１はカバーキャップを示す。
【００２２】
【発明の効果】
以上説明した如く本発明の液体吐出容器は、既述構成としたことにより、液を収納した部分には空気がなく、空気との接触を好まない液を充填した場合でも液が不都合を生じることを極力回避できるとともに、ポンピング操作後の噴出液中への空気の混在を防止でき、また、充填した胴部内の液は効率よく吐出することができて無駄がなく、しかも、従来品と比較して簡単な構造変更により形成できるため、製造コストの増加も少なくてすむなど種々の効果を有するものである。
【００２３】
また、ポンプを容器体に装着する際に口頸部内の空気を抜きつつ容易な装着を行える利点も兼ね備えている。
【００２４】
また、シリンダ１５外面に嵌合させた取付筒２８外面より突設してシリンダ１５と別体に形成したフランジ２６を設けたものにあっては、液密性を高める柔らかい材質のもので形成することができる等の利点を兼ね備えている。
【図面の簡単な説明】
【図１】本発明の一実施例を示す一部切欠半断面図である。
【図２】本発明の他の実施例を示す一部切欠半断面図である。
【図３】同実施例の要部拡大断面図である。
【符号の説明】
２…容器体，３…ポンプ，４…胴部，５…肩部，６…口頸部，
７…可動底壁，１５…シリンダ，１６…装着筒，１７…頂板，１８…ステム，
１９…吐出ヘッド，２６…フランジ，２７…シール突部，２８…取付筒
【図１】
2004001817.tif 000003
【図２】
2004001817.tif 000004
【図３】
2004001817.tif 000005